(57)【要約】【課題】画像観察者が画像の変化を認識することを抑制する。【解決手段】第１の色を表示する第１副画素、第２の色を表示する第２副画素、第３の色を表示する第３副画素、及び、第４の色を表示する第４副画素を含む画素が２次元マトリクス状に配列された画像表示パネル３０と、入力信号の入力ＨＳＶ色空間の入力値を、第１の色、第２の色、第３の色及び第４の色で再現される再現ＨＳＶ色空間の再現値に変換して生成し、生成した出力信号を画像表示パネルに出力するとともに、画像表示パネルの輝度を制御する制御信号を出力する信号処理部２０と、制御信号が閾値より小さい場合には、第１の時定数での濾波処理を制御信号に施して出力し、制御信号が閾値以上の場合には、第２の時定数での濾波処理を制御信号に施して出力するフィルタ８０と、を備える。【選択図】図１
2014178369.tif 000002
【特許請求の範囲】
【請求項１】
第１の色を表示する第１副画素、第２の色を表示する第２副画素、第３の色を表示する第３副画素及び第４の色を表示する第４副画素を含む画素が２次元マトリクス状に配列された画像表示パネルと、
入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力するとともに、前記画像表示パネルの輝度を制御する制御信号を出力する信号処理部と、
前記制御信号に信号処理を施して、前記画像表示パネルを照明する光源装置を制御する光源装置制御信号を出力する信号処理回路と、
を備え、
前記信号処理部は、
前記入力信号に対する伸長係数αを算出し、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力し、
少なくとも前記伸長係数αに基づいて前記制御信号を算出して前記信号処理回路に出力し、
前記信号処理回路は、
前記制御信号が、設定された閾値より小さい場合には、設定された第１の時定数での濾波処理を前記制御信号に施すことで前記光源装置制御信号を算出して出力し、前記制御信号が、前記閾値以上の場合には、設定された第２の時定数での濾波処理を前記制御信号に施すことで前記光源装置制御信号を算出して出力する、
表示装置。
【請求項２】
前記信号処理回路は、
第１及び第２の乗算器と、加算器と、遅延回路と、ゲイン制御部と、
を含み、
前記第１の乗算器は、前記制御信号にゲインＡを乗算し、
前記第２の乗算器は、前記遅延回路の出力信号にゲインＢを乗算し、
前記加算器は、前記第１の乗算器の出力信号と前記第２の乗算器の出力信号とを加算し、
前記遅延回路は、前記加算器の出力信号を１フレーム時間遅延させ、
前記ゲイン制御部は、前記制御信号が、前記閾値より小さい場合には、設定された第１のゲインを前記ゲインＡとして前記第１の乗算器に設定するとともに、設定された第２のゲインを前記ゲインＢとして前記第２の乗算器に設定し、前記制御信号が、前記閾値以上の場合には、設定された第３のゲインを前記ゲインＡとして前記第１の乗算器に設定するとともに、設定された第４のゲインを前記ゲインＢとして前記第２の乗算器に設定する、
請求項１に記載の表示装置。
【請求項３】
前記ゲイン制御部は、
各組が２つのゲインを含む複数の組のゲインを記憶するゲイン記憶部と、
前記制御信号が前記閾値より小さい場合に、前記複数の組のゲインの中の１組のゲインを選択する第１の情報が設定される第１の情報記憶部と、
前記制御信号が前記閾値以上の場合に、前記複数の組のゲインの中の１組のゲインを選択する第２の情報が設定される第２の情報記憶部と、
前記制御信号が前記閾値より小さい場合には、前記第１の情報記憶部に設定された第１の情報に基づいて、前記複数の組のゲインの中の１組のゲインを前記第１及び第２のゲインとして選択し、前記第１及び第２のゲインを前記ゲインＡ及び前記ゲインＢとして前記第１及び第２の乗算器に設定し、前記制御信号が前記閾値以上の場合には、前記第２の情報記憶部に設定された第２の情報に基づいて、前記複数の組のゲインの中の１組のゲインを前記第３及び第４のゲインとして選択し、前記第３及び第４のゲインを前記ゲインＡ及び前記ゲインＢとして前記第１及び第２の乗算器に設定するゲイン切替判定部と、
を備える、請求項２に記載の表示装置。
【請求項４】
前記ゲイン制御部は、
前記第１及び第２のゲインが設定される第１のゲイン記憶部と、
前記第３及び第４のゲインが設定される第２のゲイン記憶部と、
前記制御信号が前記閾値より小さい場合には、前記第１のゲイン記憶部に設定された前記第１及び第２のゲインを前記ゲインＡ及び前記ゲインＢとして前記第１及び第２の乗算器に設定し、前記制御信号が前記閾値以上の場合には、前記第２のゲイン記憶部に設定された前記第３及び第４のゲインを前記ゲインＡ及び前記ゲインＢとして前記第１及び第２の乗算器に設定するゲイン切替判定部と、
を備える、請求項２に記載の表示装置。
【請求項５】
前記画像表示パネルは、複数の光源装置で照明され、
前記制御信号に基づいて、前記複数の光源装置に前記光源装置制御信号をそれぞれ出力する複数の前記信号処理回路を備える、
請求項１から４のいずれか１項に記載の表示装置。
【請求項６】
前記信号処理部は、
前記再現ＨＳＶ色空間に対して、色相及び彩度の値の組み合わせにおいて前記再現ＨＳＶ色空間の明度の最大値に対して当該最大値を超える幅の割合の上限である限界値を設定し、
前記入力信号の各副画素の信号に対して乗算した値のうち明度の最大値を超える値が、前記明度の最大値に前記限界値を乗算した値を超えない範囲で、前記入力信号に対する伸長係数αを算出する、
請求項１から５のいずれか１項に記載の表示装置。
【請求項７】
前記信号処理部は、
前記再現ＨＳＶ色空間を彩度、明度及び色相の少なくとも１つで複数に分割し、分割した複数の空間のうち少なくとも２つの空間に対して、色相及び彩度の値の組み合わせにおいて前記再現ＨＳＶ色空間の明度の最大値に対して当該最大値を超える幅の割合の上限である限界値として異なる値を設定する、
請求項６に記載の表示装置。
【請求項８】
前記信号処理部は、前記彩度を基準として前記再現ＨＳＶ色空間を２つ以上の空間に分割することを特徴とする請求項７に記載の表示装置。
【請求項９】
前記信号処理部は、前記色相を基準として前記再現ＨＳＶ色空間を２つ以上の空間に分割することを特徴とする請求項７又は８に記載の表示装置。
【請求項１０】
前記信号処理部は、前記明度を基準として前記再現ＨＳＶ色空間を２つ以上の空間に分割することを特徴とする請求項７から９のいずれか１項に記載の表示装置。
【請求項１１】
前記第４の色は、白色であることを特徴とする請求項１から１０のいずれか１項に記載の表示装置。
【請求項１２】
請求項１から１１のいずれか１項に記載の表示装置と、
前記表示装置に前記入力信号を供給する制御装置と、を有する電子機器。
【請求項１３】
第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力するとともに、前記画像表示パネルの輝度を制御する制御信号を出力する信号処理部と、前記制御信号に信号処理を施して、前記画像表示パネルを照明する光源装置を制御する光源装置制御信号を出力する信号処理回路と、を備える表示装置の駆動方法であって、
前記入力信号に対する伸長係数αを算出するステップと、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力するステップと、
前記制御信号が、設定された閾値より小さい場合には、設定された第１の時定数での濾波処理を前記制御信号に施すことで前記光源装置制御信号を算出して出力し、前記制御信号が、前記閾値以上の場合には、設定された第２の時定数での濾波処理を前記制御信号に施すことで前記光源装置制御信号を算出して出力するステップと、
を含むことを特徴とする表示装置の駆動方法。
【請求項１４】
第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力するとともに、前記画像表示パネルの輝度を制御する制御信号を出力する信号処理部と、前記制御信号に信号処理を施して、前記画像表示パネルを照明する光源装置を制御する光源装置制御信号を出力する信号処理回路と、を備え、前記信号処理部が、前記入力信号に対する伸長係数αを算出し、少なくとも前記伸長係数αに基づいて前記制御信号を算出する表示装置で、前記信号処理回路が実行する信号処理方法であって、
前記制御信号が、設定された閾値より小さい場合には、設定された第１の時定数での濾波処理を前記制御信号に施すことで前記光源装置制御信号を算出して出力し、前記制御信号が、前記閾値以上の場合には、設定された第２の時定数での濾波処理を前記制御信号に施すことで前記光源装置制御信号を算出して出力する、
信号処理方法。
【発明の詳細な説明】
【技術分野】
【０００１】
本発明は、表示装置及びその駆動方法に関する。また、本発明は、上記の表示装置を備えた電子機器に関する。また、本発明は、上記の表示装置での信号処理方法に関する。
【背景技術】
【０００２】
近年、携帯電話や電子ペーパーなどのモバイル機器向け等の表示装置の需要が高くなっている。表示装置では、１つの画素が複数の副画素を備え、当該複数の副画素がそれぞれ異なる色の光を出力し、当該副画素の表示のＯＮ、ＯＦＦを切り換えることで、１つの画素で種々の色を表示させている。このような表示装置には、白色を含む４つの副画素を１つの画素とするものがある（特許文献１及び２参照）。
【０００３】
特許文献１には、第１、第２、第３及び第４副画素から構成された画素が、２次元マトリクス状に配列されて成る画像表示パネルと、入力信号が入力され、出力信号を出力する信号処理部とを備えた表示装置が記載されている。表示装置は、３原色に第４の色を加えることでＨＳＶ色空間を３原色の場合よりも拡大することができる。信号処理部は、彩度Ｓを変数とした明度の最大値Ｖｍａｘ（Ｓ）を記憶しており、入力信号の信号値に基づき彩度Ｓ及び明度Ｖ（Ｓ）を求め、Ｖｍａｘ（Ｓ）／Ｖ（Ｓ）の値の内の少なくとも１つの値に基づいて伸長係数αを求め、第４副画素への出力信号値を、少なくとも第１、第２及び第３副画素への入力信号値に基づき求め、第１、第２及び第３副画素への出力信号値を、入力信号値、伸長係数α、及び、第４出力信号値に基づき算出する。
【０００４】
また、特許文献２には、赤、緑、青のカラーフィルタを有する副画素と、白色の光の透過を制御するための副画素とを有する複数の画素が設けられた表示パネルと、赤、緑、青、及び白の光源を有するバックライト部と、表示パネルを動画モードで表示するか、又は静止画モードで表示するかを切り換える画像切替回路と、動画モードでは画像信号に応じてバックライト部の赤、緑、青の輝度の制御をし、静止画モードでは画像信号に応じてバックライト部の白の光源の輝度の制御をする表示制御回路と、を有する表示装置が記載されている。
【先行技術文献】
【特許文献】
【０００５】
【特許文献１】特開２０１０−３３００９号公報
【特許文献２】特開２０１１−２４８３５２号公報
【特許文献３】特開２０１０−１６９７６８号公報
【発明の概要】
【発明が解決しようとする課題】
【０００６】
特許文献１及び２に示すように複数の副画素のうち、画像信号に基づいて、１つの副画素（基本的には白の副画素）で拡張したＨＳＶ領域に対応させて、画像信号を伸長させることで、光源の光量を低下させて、所望の画像を再現することができる。また、光源の光量を大きくせずに画像を明るくすることができる。
【０００７】
しかしながら、光源の光量を変化させるときに、画像観察者が画像の変化を認識してしまう場合がある。そのため、光源の光量をより適切に制御することが好ましい。
【０００８】
特許文献３には、複数色の映像入力信号の信号値に基づいて彩度を算出して、彩度が高いほど、時定数として大きな値を設定し、目標光量及び時定数に基づいて、白色光源から出射される光量を制御する映像表示装置が記載されている。しかし、特許文献３記載の光量制御は、特許文献１及び２のようにＨＳＶ領域を拡張させた場合には、適切ではない。
【０００９】
本発明はかかる問題点に鑑みてなされたもので、その目的は、ＨＳＶ領域を拡張させた場合に、画像観察者が画像の変化を認識することを抑制することが可能な表示装置、電子機器、表示装置の駆動方法及び信号処理方法を提供することにある。
【課題を解決するための手段】
【００１０】
上述した課題を解決し、目的を達成するために、本発明は、第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力するとともに、前記画像表示パネルの輝度を制御する制御信号を出力する信号処理部と、前記制御信号に信号処理を施して、前記画像表示パネルを照明する光源装置を制御する光源装置制御信号を出力する信号処理回路と、を備え、前記信号処理部は、前記入力信号に対する伸長係数αを算出し、少なくとも前記第１副画素の入力信号及び前記伸長係数αに基づいて前記第１副画素の出力信号を算出して前記第１副画素へ出力し、少なくとも前記第２副画素の入力信号及び前記伸長係数αに基づいて前記第２副画素の出力信号を算出して前記第２副画素へ出力し、少なくとも前記第３副画素の入力信号及び前記伸長係数αに基づいて前記第３副画素の出力信号を算出して前記第３副画素へ出力し、前記第１副画素の入力信号、前記第２副画素の入力信号及び前記第３副画素の入力信号に基づいて前記第４副画素の出力信号を算出し、前記第４副画素へ出力し、少なくとも前記伸長係数αに基づいて前記制御信号を算出して前記信号処理回路に出力し、前記信号処理回路は、前記制御信号が、設定された閾値より小さい場合には、設定された第１の時定数での濾波処理を前記制御信号に施すことで前記光源装置制御信号を算出して出力し、前記制御信号が、前記閾値以上の場合には、設定された第２の時定数での濾波処理を前記制御信号に施すことで前記光源装置制御信号を算出して出力する。
【発明の効果】
【００１１】
本発明による表示装置、電子機器、表示装置の駆動方法及び信号処理方法によれば、ＨＳＶ色空間を拡張した場合に、画像観察者が画像の変化を認識することを抑制することが可能となる。
【図面の簡単な説明】
【００１２】
【図１】図１は、本発明の一実施形態に係る表示装置の構成の一例を示すブロック図である。
【図２】図２は、図１の表示装置における画像表示パネル及び画像表示パネル駆動回路の概念図である。
【図３】図３は、本実施形態の表示装置で再現可能な再現ＨＳＶ色空間の概念図である。
【図４】図４は、再現ＨＳＶ色空間の色相と彩度との関係を示す概念図である。
【図５】図５は、再現ＨＳＶ色空間の彩度と明度との関係を示す概念図である。
【図６】図６は、空間を分割していない再現ＨＳＶ色空間の彩度と明度との関係を示す概念図である。
【図７】図７は、再現ＨＳＶ色空間の彩度と明度との関係を示す概念図である。
【図８】図８は、再現ＨＳＶ色空間の彩度と明度との関係を示す概念図である。
【図９】図９は、図１のフィルタの構成の一例を示すブロック図である。
【図１０】図１０は、図９のゲイン制御部の構成の一例を示すブロック図である。
【図１１】図１１は、フィルタの周波数特性の一例を示す図である。
【図１２】図１２は、フィルタの入力信号と出力信号の波形の例を示す図である。
【図１３】図１３は、フィルタの入力信号と出力信号の波形の例を示す図である。
【図１４】図１４は、フィルタの入力信号と出力信号の波形の例を示す図である。
【図１５】図１５は、表示装置の制御動作の一例を示すフローチャートである。
【図１６】図１６は、表示装置の制御動作の一例を示すフローチャートである。
【図１７】図１７は、図９のゲイン制御部の変形例の構成を示すブロック図である。
【図１８】図１８は、本発明の一実施形態に係る表示装置の変形例の構成を示すブロック図である。
【図１９】図１９は、適用例１に係る電子機器の構成の一例を示す斜視図である。
【図２０】図２０は、電子機器の制御動作の一例を示すフローチャートである。
【図２１】図２１は、本実施形態に係る表示装置が適用されるテレビジョン装置を示す図である。
【図２２】図２２は、本実施形態に係る表示装置が適用されるデジタルカメラを示す図である。
【図２３】図２３は、本実施形態に係る表示装置が適用されるデジタルカメラを示す図である。
【図２４】図２４は、本実施形態に係る表示装置が適用されるビデオカメラの外観を示す図である。
【図２５】図２５は、本実施形態に係る表示装置が適用されるノート型パーソナルコンピュータを示す図である。
【図２６】図２６は、本実施形態に係る表示装置が適用される情報携帯端末を示す図である。
【発明を実施するための形態】
【００１３】
以下、発明を実施するための形態について、図面を参照して詳細に説明する。なお、説明は以下の順序で行う。
１．実施形態（表示装置、電子機器、表示装置の駆動方法及び信号処理方法）
１つの画素に白色の副画素を含む
入力信号に基づいて伸長係数を算出し、この伸長係数に基づいて制御信号を生成
制御信号に基づいて、光源装置制御信号の時定数を設定
２．適用例（電子機器）
上記実施形態に係る表示装置が電子機器に適用されている例
３．本開示の構成
【００１４】
＜１．実施形態＞
図１は、本発明の一実施形態に係る表示装置の構成の一例を示すブロック図である。図２は、図１の表示装置における画像表示パネル及び画像表示パネル駆動回路の概念図である。図１に示すように、本実施形態の表示装置１０は、表示装置１０の各部に信号を送り、動作を制御する信号処理部２０と、信号処理部２０から出力された出力信号に基づいて画像を表示させる画像表示パネル３０と、画像表示パネル３０の駆動を制御する画像表示パネル駆動回路４０と、画像表示パネル３０を背面から照明する面状光源装置５０と、面状光源装置５０の駆動を制御する面状光源装置制御回路６０と、信号処理部２０から出力される制御信号に信号処理を施して面状光源装置制御回路６０に出力するフィルタ（信号処理回路）８０と、を備える。なお、表示装置１０は、特開２０１１−１５４３２３号公報に記載されている画像表示装置組立体と同様の構成であり、特開２０１１−１５４３２３号公報に記載されている各種変形例が適用可能である。
【００１５】
信号処理部２０は、画像表示パネル３０及び面状光源装置５０の動作を制御する演算処理部である。信号処理部２０は、画像表示パネル駆動回路４０及びフィルタ８０と接続されている。信号処理部２０は、外部から入力される入力信号を処理して出力信号及び制御信号を生成する。つまり、信号処理部２０は、入力信号の入力ＨＳＶ色空間の入力値（入力信号）を、第１の色、第２の色、第３の色及び第４の色で再現される再現ＨＳＶ色空間の再現値（出力信号）に変換して生成する。信号処理部２０は、生成した出力信号を画像表示パネル駆動回路４０に出力し、生成した制御信号をフィルタ８０に出力する。
【００１６】
画像表示パネル３０は、図２に示すように、第１原色（例えば、赤色）を表示する第１副画素４９Ｒ、第２原色（例えば、緑色）を表示する第２副画素４９Ｇ、第３原色（例えば、青色）を表示する第３副画素４９Ｂ、及び、第４の色（具体的には白色）を表示する第４副画素４９Ｗを含む画素４８が、Ｐ０×Ｑ０個（水平方向にＰ０個、垂直方向にＱ０個）、２次元マトリクス状に配列されている。
【００１７】
本実施形態の表示装置は、より具体的には、透過型のカラー液晶表示装置である。画像表示パネル３０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル３０は、第４副画素４９Ｗと画像観察者との間にカラーフィルタが配置されていない。ここで、第４副画素４９Ｗには、カラーフィルタの代わりに透明な樹脂層が備えられていてもよい。このように画像表示パネル３０は、透明な樹脂層を設けることで、第４副画素４９Ｗにカラーフィルタを設けないことによって第４副画素４９Ｗに大きな段差が生じることを防止することができる。
【００１８】
そして、画像表示パネル３０は、図２に示す例では、第１副画素４９Ｒ、第２副画素４９Ｇ、第３副画素４９Ｂ及び第４副画素４９Ｗをストライプ配列に類似した配列にて配置されている。なお、１つの画素に含まれる副画素の構成及びその配置は、特に限定されない。画像表示パネル３０が、第１副画素４９Ｒ、第２副画素４９Ｇ、第３副画素４９Ｂ及び第４副画素４９Ｗをダイアゴナル配列（モザイク配列）に類似した配列で配置してもよい。また、例えば、デルタ配列（トライアングル配列）に類似した配列、レクタングル配列に類似した配列等としてもよい。一般的には、ストライプ配列に類似した配列は、パーソナルコンピュータ等においてデータや文字列を表示するのに好適である。これに対して、モザイク配列に類似した配列は、ビデオカメラレコーダやデジタルスチルカメラ等において自然画を表示するのに好適である。
【００１９】
画像表示パネル駆動回路４０は、信号出力回路４１及び走査回路４２を備えている。画像表示パネル駆動回路４０は、信号出力回路４１によって、映像信号を保持し、順次、画像表示パネル３０に出力する。信号出力回路４１は、配線ＤＴＬによって画像表示パネル３０と電気的に接続されている。画像表示パネル駆動回路４０は、走査回路４２によって、画像表示パネル３０における副画素の動作（光透過率）を制御するためのスイッチング素子（例えば、ＴＦＴ）のＯＮ／ＯＦＦを制御する。走査回路４２は、配線ＳＣＬによって画像表示パネル３０と電気的に接続されている。
【００２０】
面状光源装置５０は、画像表示パネル３０の背面に配置され、画像表示パネル３０に向けて光を照射することで、画像表示パネル３０を照明する。面状光源装置５０は、画像表示パネル３０の全面に光を照射し、画像表示パネル３０を明るくする。
【００２１】
面状光源装置制御回路６０は、面状光源装置５０から出力する光の光量等を制御する。具体的には、面状光源装置制御回路６０は、フィルタ８０から出力される面状光源装置制御信号に基づいて面状光源装置５０に供給する電圧等を調整することで、画像表示パネル３０を照射する光の光量（光の強度）を制御する。
【００２２】
フィルタ（信号処理回路）８０は、信号処理部２０から入力される制御信号に後述する信号処理を施して面状光源装置制御信号を生成し、面状光源装置制御回路６０に出力する。
【００２３】
次に、図３から図６を用いて、信号処理部２０で実行する処理動作について説明する。図３は、本実施形態の表示装置で再現可能な再現ＨＳＶ色空間の概念図である。図４は、再現ＨＳＶ色空間の色相と彩度との関係を示す概念図である。図５は、再現ＨＳＶ色空間の彩度と明度との関係を示す概念図である。図６は、空間を分割していない再現ＨＳＶ色空間の彩度と明度との関係を示す概念図である。
【００２４】
信号処理部２０は、外部から表示する画像の情報である入力信号が入力される。入力信号は、各画素に対して、その位置で表示する画像（色）の情報を入力信号として含んでいる。具体的には、第（ｐ、ｑ）番目の画素（但し、１≦ｐ≦Ｐ０，１≦ｑ≦Ｑ０）に対して、信号値がｘ１−（ｐ、ｑ）の第１副画素の入力信号、信号値がｘ２−（ｐ、ｑ）の第２副画素の入力信号、及び、信号値がｘ３−（ｐ、ｑ）の第３副画素の入力信号が含まれる信号が信号処理部２０に入力される。
【００２５】
信号処理部２０は、入力信号を処理することで、第１副画素４９Ｒの表示階調を決定するための第１副画素の出力信号（信号値Ｘ１−（ｐ、ｑ））、第２副画素４９Ｇの表示階調を決定するための第２副画素の出力信号（信号値Ｘ２−（ｐ、ｑ））、第３副画素４９Ｂの表示階調を決定するための第３副画素の出力信号（信号値Ｘ３−（ｐ、ｑ））、及び、第４副画素４９Ｗの表示階調を決定するための第４副画素の出力信号（信号値Ｘ４−（ｐ、ｑ））を生成し、画像表示パネル駆動回路４０に出力する。
【００２６】
ここで、表示装置１０は、画素４８に第４の色（白色）を出力する第４副画素４９Ｗを備えることで、図３に示すように、ＨＳＶ色空間（再現ＨＳＶ色空間）における明度のダイナミックレンジが広げられている。つまり、図３に示すように、第１副画素、第２副画素及び第３副画素で表示できる円柱形状のＨＳＶ色空間の上に、彩度が高くなるほど明度の最大値が低くなる、彩度軸と明度軸とを含む断面における形状が、斜辺が曲線となる略台形形状となる立体が載っている形状となる。信号処理部２０は、第４の色（白色）を加えることで拡大されたＨＳＶ色空間における彩度Ｓを変数とした明度の最大値Ｖmax（Ｓ）が、信号処理部２０に記憶されている。つまり、信号処理部２０は、図３に示すＨＳＶ色空間の立体形状について、彩度と色相の座標（値）毎に明度の最大値Ｖmax（Ｓ）の値を記憶している。ここで、入力信号は、第１副画素４９Ｒ、第２副画素４９Ｇ及び第３副画素４９Ｂの入力信号で構成されているため、入力信号のＨＳＶ色空間は、円柱形状、つまり、再現ＨＳＶ色空間の円柱形状部分と同じ形状となる。
【００２７】
次に、信号処理部２０は、少なくとも第１副画素の入力信号（信号値ｘ１−（ｐ、ｑ））及び伸長係数αに基づいて、第１副画素の出力信号（信号値Ｘ１−（ｐ、ｑ））を算出し、第１副画素４９Ｒへ出力し、少なくとも第２副画素の入力信号（信号値ｘ２−（ｐ、ｑ））及び伸長係数αに基づいて第２副画素の出力信号（信号値Ｘ２−（ｐ、ｑ））を算出し、第２副画素４９Ｇへ出力し、少なくとも第３副画素の入力信号（信号値ｘ３−（ｐ、ｑ））及び伸長係数αに基づいて第３副画素の出力信号（信号値Ｘ３−（ｐ、ｑ））を算出し、第３副画素４９Ｂへ出力し、第１副画素の入力信号（信号値ｘ１−（ｐ、ｑ））、第２副画素の入力信号（信号値ｘ２−（ｐ、ｑ））及び第３副画素の入力信号（信号値ｘ３−（ｐ、ｑ））に基づいて第４副画素の出力信号（信号値Ｘ４−（ｐ、ｑ））を算出し、第４副画素４９Ｗへ出力する。
【００２８】
具体的には、第１副画素の入力信号、伸長係数α及び第４副画素の出力信号に基づいて第１副画素の出力信号を算出し、第２副画素の入力信号、伸長係数α及び第４副画素の出力信号に基づいて第２副画素の出力信号を算出し、第３副画素の入力信号、伸長係数α及び第４副画素の出力信号に基づいて第３副画素の出力信号を算出する。
【００２９】
つまり、信号処理部２０は、χを表示装置に依存した定数としたとき、第（ｐ、ｑ）番目の画素（あるいは、第１副画素４９Ｒ、第２副画素４９Ｇ及び第３副画素４９Ｂの組）への第１副画素の出力信号値Ｘ１−（ｐ、ｑ）、第２副画素の出力信号値Ｘ２−（ｐ、ｑ）及び第３副画素の出力信号値Ｘ３−（ｐ、ｑ）を、以下の式から求める。
Ｘ１−（ｐ、ｑ）＝α・ｘ１−（ｐ、ｑ）−χ・Ｘ４−（ｐ、ｑ）
Ｘ２−（ｐ、ｑ）＝α・ｘ２−（ｐ、ｑ）−χ・Ｘ４−（ｐ、ｑ）
Ｘ３−（ｐ、ｑ）＝α・ｘ３−（ｐ、ｑ）−χ・Ｘ４−（ｐ、ｑ）
【００３０】
信号処理部２０は、第４の色を加えることで拡大されたＨＳＶ色空間における彩度Ｓを変数とした明度の最大値Ｖmax（Ｓ）を求め、複数の画素における副画素の入力信号値に基づき、これらの複数の画素における彩度Ｓ及び明度Ｖ（Ｓ）を求め、明度Ｖ（Ｓ）と伸長係数αの積から求められた伸長された明度の値が最大値Ｖmax（Ｓ）を超える画素の全画素に対する割合が限界値β（Ｌｉｍｉｔ値）以下となるように伸長係数αを決定する。つまり、信号処理部２０は、伸長された明度の値のうち明度の最大値を超える値が、最大値Ｖmax（Ｓ）に限界値βをかけた値を超えない範囲で、伸長係数αを決定する。ここで、限界値βは、色相及び彩度の値の組み合わせにおいて再現ＨＳＶ色空間の明度の最大値に対して当該最大値を超える幅の割合の上限の値（割合）となる。
【００３１】
ここで、彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができ、ｎは表示階調ビット数である。また、Ｍａｘは、画素への第１副画素の入力信号値、第２副画素の入力信号値及び第３副画素の入力信号値の３つの副画素の入力信号値の最大値である。Ｍｉｎは、画素への第１副画素の入力信号値、第２副画素の入力信号値及び第３副画素の入力信号値の３つの副画素の入力信号値の最小値である。また、色相Ｈは、図４に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤となる。本実施形態では、角度０°を含む領域が赤となり、角度１２０°を含む領域が緑となり、角度２４０°を含む領域が青となる。
【００３２】
信号処理部２０は、彩度Ｓ、色相Ｈ及び明度Ｖの少なくとも１つを基準として、図３に示すＨＳＶ色空間（再現ＨＳＶ色空間）を複数の空間（色空間）に分割し、それぞれの領域に対して限界値βを設定している。
【００３３】
例えば、信号処理部２０は、図４及び図５に示すように、色相Ｈが０≦Ｈ＜３６０、彩度Ｓが０．８≦Ｓ、明度Ｖが０≦Ｖ≦Ｍａｘに含まれる空間の限界値β１を０．０１（１％）とし、色相Ｈが０≦Ｈ＜３６０、彩度ＳがＳ≦０．５、明度Ｖが０≦Ｖ≦Ｍａｘに含まれる空間の限界値β２を０．０１（１％）とし、色相Ｈが０≦Ｈ＜９０、彩度Ｓが０．５＜Ｓ＜０．８、明度Ｖが０≦Ｖ≦Ｍａｘに含まれる空間の限界値β３を０．０２５（２．５％）とし、色相Ｈが９０≦Ｈ＜１８０、彩度Ｓが０．５＜Ｓ＜０．８、明度Ｖが０≦Ｖ≦Ｍａｘに含まれる空間の限界値β４を０．０２５（２．５％）とし、色相Ｈが１８０≦Ｈ＜２７０、彩度Ｓが０．５＜Ｓ＜０．８、明度Ｖが０≦Ｖ≦Ｍａｘに含まれる空間の限界値β５を０．０２５（２．５％）とし、色相Ｈが２７０≦Ｈ＜３６０、彩度Ｓが０．５＜Ｓ＜０．８、明度Ｖが０≦Ｖ≦Ｍａｘに含まれる空間の限界値β６を０．０２５（２．５％）とする。
【００３４】
つまり、本実施形態では、彩度Ｓが０．５＜Ｓ＜０．８に含まれる場合と、０．５＜Ｓ＜０．８に含まれない（つまりＳ≦０．５又は０．８≦Ｓである）場合とで、限界値βを異なる値とする。これにより、図５に示すように、Ｓ≦０．５の空間６１と、０．５＜Ｓ＜０．８の空間６２と、０．８≦Ｓの空間６４とで、明度Ｖの最大値を示す最大値線６６に対する限界値の値を示す限界値線６８との関係が変化する。これにより、信号処理部２０は、限界値線６８を図６に示すようにＨＳＶ色空間内における限界値βの値を一定にした場合の限界値線６９とは異なる線とすることができる。
【００３５】
ここで、図５及び図６は、丸印が入力信号の値であり、星印が伸長させた後の値である。図５の例は、彩度がＳ１´となる値の明度Ｖ（Ｓ１´）が、限界値線６８と接する値であるＶmax（Ｓ１´）となる伸長係数α´を当該画像の伸長係数とする。図６の例は、彩度がＳ１となる値の明度Ｖ（Ｓ１）が、限界値線６９と接する値であるＶmax（Ｓ１）となる伸長係数αを当該画像の伸長係数とする。
【００３６】
信号処理部２０は、限界値βを空間によって異なる値に設定することで、より好適に信号を伸長させることができる。例えば、画質への影響が大きい空間の限界値を小さくし、画質への影響が小さい空間の限界値を大きくすることで、画質を維持しつつ、伸長係数を高くすることができる。例えば、本実施形態のように、Ｓが１に近い領域（本実施形態では、０．８≦Ｓ）の限界値を、Ｓがより低い領域（Ｓ＜０．８）の限界値より低くすることで、人の目に対して色変化が目立つ高彩色な領域の画質を維持しつつ、他の領域での伸長係数を高く設定することが可能となる。Ｓが０に近い領域（本実施形態では、Ｓ≦０．５）の限界値を、Ｓがより高い領域（０．５＜Ｓ）の限界値より低くすることで、人の目に対して階調変化が目立つ無彩色な領域の画質を維持しつつ、他の領域での伸長係数を高く設定することが可能となる。
【００３７】
次に、本実施形態において、信号値Ｘ４−（ｐ、ｑ）は、Ｍｉｎ（ｐ、ｑ）と伸長係数αの積に基づき求めることができる。具体的には、
Ｘ４−（ｐ、ｑ）＝Ｍｉｎ（ｐ、ｑ）・α／χ  ・・・（１１）
に基づいて求めることができる。この式（１１）では、Ｍｉｎ（ｐ、ｑ）と伸長係数αの積をχで除しているが、これに限定するものではない。また、伸長係数αは、１画像表示フレ−ム毎に決定される。
【００３８】
以下、これらの点についての説明を行う。
【００３９】
一般に、第（ｐ、ｑ）番目の画素において、第１副画素の入力信号（信号値ｘ１−（ｐ、ｑ））、第２副画素の入力信号（信号値ｘ２−（ｐ、ｑ））、及び、第３副画素の入力信号（信号値ｘ３−（ｐ、ｑ））に基づき、円柱のＨＳＶ色空間における彩度（Saturation）Ｓ（ｐ、ｑ）及び明度（Brightness）Ｖ（Ｓ）（ｐ、ｑ）は、以下の式から求めることができる。
Ｓ（ｐ、ｑ）＝（Ｍａｘ（ｐ、ｑ）−Ｍｉｎ（ｐ、ｑ））／Ｍａｘ（ｐ、ｑ）  ・・・（１２−１）
Ｖ（Ｓ）（ｐ、ｑ）＝Ｍａｘ（ｐ、ｑ）  ・・・（１２−２）
【００４０】
ここで、Ｍａｘ（ｐ、ｑ）は、（ｘ１−（ｐ、ｑ），ｘ２−（ｐ、ｑ），ｘ３−（ｐ、ｑ））の３つの副画素の入力信号値の最大値であり、Ｍｉｎ（ｐ、ｑ）は、（ｘ１−（ｐ、ｑ），ｘ２−（ｐ、ｑ），ｘ３−（ｐ、ｑ））の３つの副画素の入力信号値の最小値である。本実施形態ではｎ＝８とした。すなわち、表示階調ビット数を８ビット（表示階調の値を０から２５５の２５６階調）とした。
【００４１】
白色を表示する第４副画素４９Ｗには、カラーフィルタが配置されていない。ここで、第１副画素４９Ｒに第１副画素の出力信号の最大信号値に相当する値を有する信号が入力され、第２副画素４９Ｇに第２副画素の出力信号の最大信号値に相当する値を有する信号が入力され、第３副画素４９Ｂに第３副画素の出力信号の最大信号値に相当する値を有する信号が入力されたときの、画素あるいは画素群を構成する第１副画素４９Ｒ、第２副画素４９Ｇ及び第３副画素４９Ｂの集合体の輝度をＢＮ１−３とし、画素あるいは画素群を構成する第４副画素４９Ｗに第４副画素の出力信号の最大信号値に相当する値を有する信号が入力されたときの第４副画素４９Ｗの輝度をＢＮ４としたときを想定する。即ち、第１副画素４９Ｒ、第２副画素４９Ｇ及び第３副画素４９Ｂの集合体によって最大輝度の白色が表示され、係る白色の輝度がＢＮ１−３で表される。すると、χを表示装置に依存した定数としたとき、定数χは、χ＝ＢＮ４／ＢＮ１−３で表される。
【００４２】
具体的には、第１副画素４９Ｒ、第２副画素４９Ｇ及び第３副画素４９Ｂの集合体に、以下の表示階調の値を有する入力信号、ｘ１−（ｐ、ｑ）＝２５５、ｘ２−（ｐ、ｑ）＝２５５、ｘ３−（ｐ、ｑ）＝２５５が入力されたときの白色の輝度ＢＮ１−３に対して、第４副画素４９Ｗに表示階調の値２５５を有する入力信号が入力されたと仮定したときの輝度ＢＮ４は、例えば、１．５倍である。即ち、本実施形態にあっては、χ＝１．５である。
【００４３】
ところで、信号値Ｘ４−（ｐ、ｑ）が上述した式（１１）で与えられる場合、Ｖmax（Ｓ）は、以下の式で表すことができる。
【００４４】
Ｓ≦Ｓ０の場合：
Ｖmax（Ｓ）＝（χ＋１）・（２ｎ−１）  ・・・（１３−１）
Ｓ０＜Ｓ≦１の場合：
Ｖmax（Ｓ）＝（２ｎ−１）・（１／Ｓ）  ・・・（１３−２）
ここで、Ｓ０＝１／（χ＋１）である。
【００４５】
このようにして得られた、第４の色を加えることで拡大されたＨＳＶ色空間における彩度Ｓを変数とした明度の最大値Ｖmax（Ｓ）が、例えば、信号処理部２０に一種のルック・アップ・テーブルとして記憶されており、あるいは、都度、信号処理部２０において求められる。
【００４６】
次に、第（ｐ、ｑ）番目の画素における出力信号値Ｘ１−（ｐ、ｑ），Ｘ２−（ｐ、ｑ），Ｘ３−（ｐ、ｑ），Ｘ４−（ｐ、ｑ）の求め方（伸長処理）を説明する。尚、以下の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。更には、階調−輝度特性（ガンマ特性，γ特性）を保持（維持）するように行われる。
【００４７】
また、いずれかの画素あるいは画素群において、入力信号値の全てが「０」である場合（若しくは小さい場合）、このような画素あるいは画素群を含めることなく、伸長係数αを求めればよい。
【００４８】
［工程−１００］
先ず、信号処理部２０は、複数の画素における副画素の入力信号値に基づき、これらの複数の画素における彩度Ｓ及び明度Ｖ（Ｓ）を求める。具体的には、第（ｐ、ｑ）番目の画素への第１副画素の入力信号値ｘ１−（ｐ、ｑ）、第２副画素の入力信号値ｘ２−（ｐ、ｑ）及び第３副画素の入力信号値ｘ３−（ｐ、ｑ）に基づき、式（１２−１）及び式（１２−２）からＳ（ｐ、ｑ），Ｖ（Ｓ）（ｐ、ｑ）を求める。この処理を、全ての画素に対して行う。
【００４９】
［工程−１１０］
次いで、信号処理部２０において、複数の画素において求められたＶmax（Ｓ）／Ｖ（Ｓ）に基づき伸長係数α（Ｓ）を求める。
【００５０】
α（Ｓ）＝Ｖmax（Ｓ）／Ｖ（Ｓ）  ・・・（１４）
【００５１】
そして、複数の画素（本実施形態にあっては全てのＰ０×Ｑ０個の画素）において求められた伸長係数α（Ｓ）の値を昇順に並べ、Ｐ０×Ｑ０個の伸長係数α（Ｓ）の値の内、最小値からβ×Ｐ０×Ｑ０個のところに相当する伸長係数α（Ｓ）を伸長係数αとする。こうして、明度Ｖ（Ｓ）と伸長係数αの積から求められた伸長された明度の値が最大値Ｖmax（Ｓ）を越える画素の全画素に対する割合が所定の値（β）以下となるように伸長係数αを決定することができる。
【００５２】
本実施形態にあっては、限界値βを例えば、０以上０．２以下（０％以上２０％以下）とすることが好ましく、０．０００１以上０．２０以下（０．０１％以上２０％以下）とすることがより好ましく、０．００３以上０．０５以下（０．３％以上５％以下）とすることがさらに好ましい。このβの値は、種々の試験を行い、決定したものである。
【００５３】
Ｖmax（Ｓ）／Ｖ（Ｓ）の最小値を伸長係数αとした場合、入力信号値に対する出力信号値は（２８−１）を越えることがない。しかしながら、伸長係数αをＶmax（Ｓ）／Ｖ（Ｓ）の最小値ではなく、上述したように決定すると、伸長係数α（Ｓ）が伸長係数α未満である画素に対して伸長係数αが掛けられ、伸長された明度の値が最大値Ｖmax（Ｓ）を越えることになる。その結果、所謂「階調潰れ」が生じる。しかしながら、βの値を、上述したとおり、例えば０．００３乃至０．０５とすることで、階調潰れが目立ち、不自然な画像となるといった現象の発生を防止することができた。一方、βの値が０．０５を越えると、場合によっては、階調潰れの目立つ、不自然な画像となることが確認された。尚、伸長処理によって出力信号値が限界値である（２ｎ−１）を越える場合には、出力信号値を限界値である（２ｎ−１）とすればよい。
【００５４】
ところで、通常、伸長係数α（Ｓ）の値は、１．０を越え、かつ、１．０近傍に多く集まる。従って、Ｖmax（Ｓ）／Ｖ（Ｓ）の最小値を伸長係数αとした場合、出力信号値の伸長度合いが小さく、しばしば、表示装置の低消費電力化を達成することが困難となる。然るに、例えば、βの値を０以上０．２以下とすることで、少なくとも一部の空間の伸長係数αの値を大きくすることができ、後述するように、面状光源装置５０の輝度を（１／α）倍とすればよいので、表示装置の低消費電力化を達成することが可能となる。
【００５５】
［工程−１２０］
次に、信号処理部２０は、第（ｐ、ｑ）番目の画素における信号値Ｘ４−（ｐ、ｑ）を、少なくとも、信号値ｘ１−（ｐ、ｑ）、信号値ｘ２−（ｐ、ｑ）及び信号値ｘ３−（ｐ、ｑ）に基づき求める。具体的には、本実施形態にあっては、信号値Ｘ４−（ｐ、ｑ）は、Ｍｉｎ（ｐ、ｑ）、伸長係数α及び定数χに基づき決定される。より具体的には、本実施形態にあっては、上述したとおり、
Ｘ４−（ｐ、ｑ）＝Ｍｉｎ（ｐ、ｑ）・α／χ  ・・・（１１）
に基づき求める。尚、Ｘ４−（ｐ、ｑ）をＰ０×Ｑ０個の全画素において求める。
【００５６】
［工程−１３０］
その後、信号処理部２０は、第（ｐ、ｑ）番目の画素における信号値Ｘ１−（ｐ、ｑ）を、信号値ｘ１−（ｐ、ｑ）、伸長係数α及び信号値Ｘ４−（ｐ、ｑ）に基づき求め、第（ｐ、ｑ）番目の画素における信号値Ｘ２−（ｐ、ｑ）を、信号値ｘ２−（ｐ、ｑ）、伸長係数α及び信号値Ｘ４−（ｐ、ｑ）に基づき求め、第（ｐ、ｑ）番目の画素における信号値Ｘ３−（ｐ、ｑ）を、信号値ｘ３−（ｐ、ｑ）、伸長係数α及び信号値Ｘ４−（ｐ、ｑ）に基づき求める。具体的には、第（ｐ、ｑ）番目の画素における信号値Ｘ１−（ｐ、ｑ）、信号値Ｘ２−（ｐ、ｑ）及び信号値Ｘ３−（ｐ、ｑ）を、上述したとおり、以下の式に基づき求める。
Ｘ１−（ｐ、ｑ）＝α・ｘ１−（ｐ、ｑ）−χ・Ｘ４−（ｐ、ｑ）
Ｘ２−（ｐ、ｑ）＝α・ｘ２−（ｐ、ｑ）−χ・Ｘ４−（ｐ、ｑ）
Ｘ３−（ｐ、ｑ）＝α・ｘ３−（ｐ、ｑ）−χ・Ｘ４−（ｐ、ｑ）
【００５７】
信号処理部２０は、式（１１）に示したとおり、Ｍｉｎ（ｐ、ｑ）の値をαによって伸長する。このように、Ｍｉｎ（ｐ、ｑ）の値がαによって伸長されることで、白色表示副画素（第４副画素４９Ｗ）の輝度が増加するだけでなく、上記式に示すとおり、赤色表示副画素、緑色表示副画素及び青色表示副画素（第１副画素４９Ｒ、第２副画素４９Ｇ及び第３副画素４９Ｂ）の輝度も増加する。それ故、色のくすみが発生するといった問題の発生を確実に回避することができる。即ち、Ｍｉｎ（ｐ、ｑ）の値が伸長されていない場合と比較して、Ｍｉｎ（ｐ、ｑ）の値がαによって伸長されることで、画像全体として輝度はα倍となる。従って、例えば、静止画等の画像表示を高輝度にて行うことができ、最適である。
【００５８】
本実施形態の表示装置は、第（ｐ、ｑ）番目の画素における信号値Ｘ１−（ｐ、ｑ）、信号値Ｘ２−（ｐ、ｑ）、信号値Ｘ３−（ｐ、ｑ）及び信号値Ｘ４−（ｐ、ｑ）は、α倍、伸長されている。それ故、伸長されていない状態の画像の輝度と同じ画像の輝度とするためには、面状光源装置５０の輝度を、伸長係数αに基づき減少させればよい。具体的には、面状光源装置５０の輝度を、（１／α）倍とすればよい。これによって、面状光源装置５０の消費電力の低減を図ることができる。信号処理部２０は、この（１／α）を制御信号としてフィルタ８０（図１参照）に出力する。
【００５９】
また、上述したように、本実施形態の表示装置は、ＨＳＶ色空間を複数の空間に分割し、分割した空間毎に限界値（Ｌｉｍｉｔ値）βを設定することで、画質を維持しつつ、消費電力を低減することができる値を伸長係数とすることができる。
【００６０】
ここで、上記実施形態では、色相と彩度とを基準としてＨＳＶ色空間を分割したが、つまり、色相と彩度のそれぞれにしきい値を設定し、当該しきい値を境界としてＨＳＶ色空間を各空間に分割したがこれに限定されない。信号処理部２０は、上述したように色相と彩度と明度の少なくとも１つを基準としてＨＳＶ色空間を分割すればよい。したがって、色相と彩度と明度との３つのうち１つのパラメータを基準としてＨＳＶ色空間を分割してもよいし、２つのパラメータを基準としてＨＳＶ色空間を分割してもよいし、３つ全てのパラメータを基準としてＨＳＶ色空間を分割してもよい。
【００６１】
以下、図７及び図８を用いて、ＨＳＶ色空間（再現ＨＳＶ色空間）を分割する一例について説明する。図７は、再現ＨＳＶ色空間の彩度と明度との関係を示す概念図である。図８は、再現ＨＳＶ色空間の彩度と明度との関係を示す概念図である。図７及び図８に示す例は、色相Ｈが０≦Ｈ＜３６０、彩度Ｓが０．５≦Ｓ、明度Ｖが０≦Ｖ≦Ｍａｘ＿１に含まれる空間７２の限界値β１´を０．０１（１％）とし、色相Ｈが０≦Ｈ＜３６０、彩度ＳがＳ＜０．５、明度Ｖが０≦Ｖ≦Ｍａｘ＿１に含まれる空間７０の限界値β２´を０．０１（１％）とし、色相Ｈが０≦Ｈ＜３６０、彩度Ｓが０．５≦Ｓ、明度ＶがＭａｘ＿１＜Ｖ≦Ｍａｘ＿２に含まれる空間７６の限界値β３´を０．０３（３％）とし、色相Ｈが０≦Ｈ＜３６０、彩度ＳがＳ＜０．５、明度ＶがＭａｘ＿１＜Ｖ≦Ｍａｘ＿２に含まれる空間７４の限界値β４´を０．０３（３％）とする。
【００６２】
つまり、図７及び図８に示す例は、明度Ｖが０≦Ｖ≦Ｍａｘ＿１に含まれる場合と、０≦Ｖ≦Ｍａｘ＿１に含まれない（つまりＭａｘ＿１＜Ｖ≦Ｍａｘ＿２である）場合とで、限界値βを異なる値とする。これにより、図７及び図８に示すように、Ｓ≦０．５かつ０≦Ｖ≦Ｍａｘ＿１の空間７０及び０．５＜Ｓかつ０≦Ｖ≦Ｍａｘ＿１の空間７２と、Ｓ≦０．５かつＭａｘ＿１＜Ｖ≦Ｍａｘ＿２の空間７４及び０．５＜ＳかつＭａｘ＿１＜Ｖ≦Ｍａｘ＿２の空間７６と、で明度Ｖの最大値を示す最大値線６６に対する限界値の値を示す限界値線との関係が変化する。
【００６３】
また、表示装置１０は、再現ＨＳＶ色空間を複数に分割し、複数に分割した空間に異なる限界値が設定された空間を備えていればよく、再現ＨＳＶ色空間の一部に限界値を設定しない空間、つまり、伸長係数の算出時に解析の対象としない空間を設けてもよい。表示装置１０は、一部の空間に限界値を設定しなくても、制限の対象とする空間にそれぞれの空間に適した限界値を設定でき、上記効果を得ることができる。
【００６４】
また、表示装置１０は、再現ＨＳＶ色空間を分割する規則とそれぞれの空間に設定する限界値の情報とを示すデータを、複数備え、使用するデータを切り換えるようにしてもよい。例えば、表示装置１０は、表示させる画像が動画か静止画かによって、使用する再現ＨＳＶ色空間を分割する規則とそれぞれの空間に設定する限界値の情報とを切り換えるようにしてもよい。また、表示装置１０は、使用される環境（屋内か屋外か、明るいか暗いか）に応じて、使用するデータを切り換えるようにしてもよい。
【００６５】
なお、上記では、表示装置１０は、再現ＨＳＶ色空間を分割することとしたが、再現ＨＳＶ空間を分割しなくても良い。
【００６６】
（フィルタの構成）
図９は、図１のフィルタ（信号処理回路）の構成の一例を示すブロック図である。図９に示すように、フィルタ８０は、平均化フィルタ部１８１と、ゲイン制御部１８２と、乗算器１８３と、加算器１８４と、リミッタ１８５と、フリップフロップ１８６と、乗算器１８７と、四捨五入部１８８と、を有する。
【００６７】
平均化フィルタ部１８１は、信号処理部２０から入力される８ビット幅の制御信号（入力信号）（１／α）を移動平均した８ビット幅の信号をゲイン制御部１８２及び乗算器１８３に出力する。なお、平均化フィルタ部１８１は、入力信号（１／α）のノイズ、ふらつきを低減するためのもので、無くても良い。
【００６８】
ゲイン制御部１８２は、平均化フィルタ部１８１から入力される平均化された入力信号（１／α）（以下、単に入力信号（１／α）ともいう。）に基づいて、乗算器１８３のゲインＡ及び乗算器１８７のゲインＢを設定する。なお、ゲイン制御部１８２の構成については後述する。
【００６９】
乗算器１８３は、平均化フィルタ部１８１から入力される８ビット幅の信号に、ゲイン制御部１８２によって設定されるゲインＡを乗じて、１６ビット幅の信号を加算器１８４に出力する。
【００７０】
加算器１８４は、乗算器１８３から入力される１６ビット幅の信号と、乗算器１８７から入力される１６ビット幅の信号と、を加算した１７ビット幅の信号をリミッタ１８５に出力する。
【００７１】
リミッタ１８５は、加算器１８４から入力される１７ビット幅の信号のＭＳＢ（Most  Significant  Bit）に桁上がりが有る場合には、１６ビット幅で表現できる最大値つまり０ｘＦＦＦＦに制限して、フリップフロップ１８６及び四捨五入部１８８に出力する。
【００７２】
フリップフロップ１８６は、クロック入力端子に垂直同期信号が入力され、垂直同期信号に同期して、リミッタ１８５から入力される１６ビット幅の信号の上位１４ビットをラッチし、乗算器１８７に出力する。つまり、フリップフロップ１８６は、１つ前のフレームのリミッタ１８５から入力される信号を１フレーム時間分遅延させて、乗算器１８７に出力する。
【００７３】
乗算器１８７は、フリップフロップ１８６から入力される１４ビット幅の信号に、ゲイン制御部１８２によって設定されるゲインＢを乗じて、１６ビット幅の信号を加算器１８４に出力する。
【００７４】
四捨五入部１８８は、リミッタ１８５から入力される１６ビット幅の信号の下位８ビットを上位８ビットに四捨五入した８ビット幅の信号を出力信号（面状光源装置制御信号）として、面状光源装置制御回路６０（図１参照）に出力する。なお、四捨五入部１８８は、リミッタ１８５の出力のビット幅（ここでは、１６ビット幅）と、面状光源装置制御回路６０の入力のビット幅（ここでは、８ビット幅）と、を整合させるためのもので、リミッタ１８５の出力のビット幅と、面状光源装置制御回路６０の入力のビット幅と、が一致する場合には、無くても良い。
【００７５】
このように乗算器１８３、加算器１８４、フリップフロップ１８６及び乗算器１８７は、ＩＩＲ（Infinite  Impulse  Response）フィルタを構成する。
【００７６】
図１０は、図９のゲイン制御部の構成の一例を示すブロック図である。図１０に示すように、ゲイン制御部１８２は、ゲイン記憶部１９１と、通常時ゲイン番号記憶部１９２と、ゲインアップ時番号記憶部１９３と、閾値記憶部１９４と、ゲイン切替判定部１９５と、を有する。
【００７７】
ゲイン記憶部１９１は、０から１５までの番号に関連付けて、ゲインＡｎとゲインＢｎ（但し、ｎは０≦ｎ≦１５の整数）との組（計１６組）を記憶する。なお、ゲイン記憶部１９１は、ＲＯＭ（Read  Only  Memory）などの書き換え不能な不揮発性メモリであっても良いし、フラッシュメモリなどの書き換え可能な不揮発性メモリであっても良い。
【００７８】
ゲイン記憶部１９１が書き換え不能な不揮発性メモリの場合、ゲインＡｎ及びゲインＢｎは、表示装置１０の製造時（より具体的には書き換え不能な不揮発性メモリの製造時）に表示装置メーカの推奨値が書き込まれて、電子機器メーカに出荷される。これにより、フィルタ８０は、容易に表示装置メーカの推奨値を使用することができる。
【００７９】
ゲイン記憶部１９１が書き換え可能な不揮発性メモリの場合、ゲインＡｎ及びゲインＢｎは、表示装置１０の製造時に書き込まれても良いし、表示装置１０が電子機器メーカに出荷されて電子機器メーカでの電子機器製造時に書き込まれても良い。また、表示装置１０の製造時に表示装置メーカの推奨値が書き込まれて電子機器メーカでモディファイされても良い。これにより、フィルタ８０は、容易に表示装置メーカの推奨値を調整して使用することができる。
【００８０】
また、ゲイン記憶部１９１は、ＲＡＭ（Random  Access  Memory）などの揮発性のメモリであっても良い。ゲイン記憶部１９１が揮発性メモリの場合、ゲインＡｎ及びゲインＢｎは、表示装置１０が組み込まれた電子機器のブート時にホストＣＰＵ（図示せず）から書き込まれる。これにより、フィルタ８０は、電子機器の使用状況に応じたゲインを柔軟に使用することができる。
【００８１】
なお、フィルタ８０は、ＩＩＲフィルタであり、Ａｎ＋Ｂｎ＝１の関係にある。従って、ゲイン記憶部１９１は、ゲインＡｎ又はゲインＢｎの一方を記憶し、他方を上記式から演算で算出しても良い。
【００８２】
ここでは、ゲイン記憶部１９１が、１６組のゲインＡｎ及びゲインＢｎを記憶することとしたが、これに限定されない。例えば、ゲイン記憶部１９１が、４組、８組、３２組、６４組等のゲインＡｎ及びゲインＢｎを記憶することとしても良い。
【００８３】
通常時ゲイン番号記憶部（本発明の第１の情報記憶部に対応）１９２は、入力信号（１／α）が後述する閾値より小さい場合（以下、「通常時」と言う場合がある。）に、ゲイン記憶部１９１に記憶されている１６組のゲインの中のいずれの組を選択するかの第１の情報である番号ｉ（但し、ｉは０≦ｉ≦１５の整数）を記憶する。なお、通常時ゲイン番号記憶部１９２は、ＲＡＭなどの揮発性メモリであっても良い。また、通常時ゲイン番号記憶部１９２は、フラッシュメモリなどの書き換え可能な不揮発性メモリであっても良い。これにより、一度書き込まれた番号ｉを次回電源投入時にも使用することができ、再書き込みを不要とすることができる。なお、ゲインＡｉが本発明の第１のゲインに相当し、ゲインＢｉが本発明の第２のゲインに相当する。
【００８４】
なお、通常時ゲイン番号記憶部１９２は、番号ｉに代えて、第１の情報として、ゲイン記憶部１９１内のゲインＡｉ及びゲインＢｉのアドレスを記憶しても良い。
【００８５】
ゲインアップ時番号記憶部（本発明の第２の情報記憶部に対応）１９３は、入力信号（１／α）が後述する閾値以上の場合（以下、「ゲインアップ時」と言う場合がある。）に、ゲイン記憶部１９１に記憶されている１６組のゲインの中のいずれの組を選択するかの第２の情報である番号ｊ（但し、ｊは０≦ｊ≦１５の整数）を記憶する。なお、ゲインアップ時番号記憶部１９３は、ＲＡＭなどの揮発性メモリであっても良い。また、ゲインアップ時番号記憶部１９３は、フラッシュメモリなどの書き換え可能な不揮発性メモリであっても良い。これにより、一度書き込まれた番号ｊを次回電源投入時にも使用することができ、再書き込みを不要とすることができる。なお、ゲインＡｊが本発明の第３のゲインに相当し、ゲインＢｊが本発明の第４のゲインに相当する。
【００８６】
なお、ゲインアップ時番号記憶部１９３は、番号ｊに代えて、第２の情報としてゲイン記憶部１９１内のゲインＡｊ及びゲインＢｊのアドレスを記憶しても良い。
【００８７】
閾値記憶部１９４は、乗算器１８３のゲインＡ及び乗算器１８７のゲインＢを設定する際に、判定の基準となる閾値Ｔｈを記憶する。なお、閾値記憶部１９４は、ＲＡＭなどの揮発性メモリであっても良い。また、閾値記憶部１９４は、フラッシュメモリなどの書き換え可能な不揮発性メモリであっても良い。これにより、一度書き込まれた閾値を次回電源投入時にも使用することができ、再書き込みを不要とすることができる。
【００８８】
なお、先に説明したように、通常、伸長係数αの値は、１．０を越え且つ１．０近傍に多く集まる。従って、閾値は、０．９８や０．９９程度とすると好適であると考えられる。以下では、閾値Ｔｈを０．９８として説明する。
【００８９】
ゲイン切替判定部１９５は、入力信号（１／α）と閾値記憶部１９４に記憶されている閾値Ｔｈとを比較し、入力信号（１／α）が閾値Ｔｈより小さい場合つまり通常時の場合に、通常時ゲイン番号記憶部１９２に記憶されている番号ｉに関連付けられているゲインＡｉ及びゲインＢｉをゲイン記憶部１９１から読み出し、読み出したゲインＡｉつまり第１のゲインを乗算器１８３のゲインＡとして設定し、読み出したゲインＢｉつまり第２のゲインを乗算器１８７のゲインＢとして設定する。
【００９０】
また、ゲイン切替判定部１９５は、入力信号（１／α）と閾値記憶部１９４に記憶されている閾値Ｔｈとを比較し、入力信号（１／α）が閾値Ｔｈ以上の場合つまりゲインアップ時の場合に、ゲインアップ時番号記憶部１９３に記憶されている番号ｊに関連付けられているゲインＡｊ及びゲインＢｊをゲイン記憶部１９１から読み出し、読み出したゲインＡｊつまり第３のゲインを乗算器１８３のゲインＡとして設定し、読み出したゲインＢｊつまり第４のゲインを乗算器１８７のゲインＢとして設定する。
【００９１】
なお、ゲイン切替判定部１９５は、ゲインＡｉ又はゲインＡｊと乗算器１８３に現に設定されているゲインＡとが等しい場合には、ゲインＡｉ又はゲインＡｊを乗算器１８３に設定しなくても良い。同様に、ゲイン切替判定部１９５は、ゲインＢｉ又はゲインＢｊと乗算器１８７に現に設定されているゲインＢとが等しい場合には、ゲインＢｉ又はゲインＢｊを乗算器１８７に設定しなくても良い。
【００９２】
ゲイン切替判定部１９５は、ゲインＡ及びゲインＢを設定した際には、ゲイン切り替え通知信号（図９参照）を出力する。
【００９３】
また、乗算器１８３にゲインＡを設定し、乗算器１８７にゲインＢを設定することは、フィルタ８０に時定数を設定することと同等である。
【００９４】
図１１は、フィルタの周波数特性の一例を示す図である。図１１では、番号０から１５までの１６組のゲインＡｎ及びゲインＢｎで実現される１６通りのゲイン特性２００〜２１５と、番号２のゲインＡ２及びゲインＢ２で実現される位相特性と、を示している。図１１に示すように、番号が０から１５へ大きくなるに従ってカットオフ周波数が高くなり、時定数が短くなる例を示している。番号１５のゲインＡ１５及びゲインＢ１５で実現されるゲイン特性２１５は、入力信号をそのまま出力信号とすることを示している。つまり、番号１５のゲインＡ１５は１であり、ゲインＢ１５は０である。
【００９５】
図１２は、フィルタの入力信号と出力信号の波形の例を示す図である。ここで、通常時のゲインＡ＝１／６４であり、ゲインＢ＝６３／６４であり、図１１のゲイン特性２０２（番号２）に対応する。また、ゲインアップ時のゲインＡ＝１／２であり、ゲインＢ＝１／２である。図１２に示すように、入力信号（１／α）２２１がステップ状に約１から約０．５に下がると、入力信号（１／α）が閾値０．９８以下であるので、ゲイン切替判定部１９５は、通常時のゲインＡ＝１／６４を乗算器１８３に設定し、ゲインＢ＝６３／６４を乗算器１８７に設定する。この場合、カットオフ周波数が非常に低く時定数が非常に長いので、出力信号２２２は、約１から非常にゆっくりと約０．８まで下降する。その後、入力信号（１／α）２２１がステップ状に約０．５から約１に上がると、入力信号（１／α）が閾値０．９８より大きいので、ゲイン切替判定部１９５は、ゲインアップ時のゲインＡ＝１／２を乗算器１８３に設定し、ゲインＢ＝１／２を乗算器１８７に設定する。この場合、カットオフ周波数が非常に高く時定数が非常に短いので、出力信号２２２は、急速に約０．８から約１まで上昇する。
【００９６】
図１３は、フィルタの入力信号と出力信号の波形の例を示す図である。ここで、通常時のゲインＡ＝３／６４であり、ゲインＢ＝６１／６４であり、図１１のゲイン特性２０８（番号８）に対応する。また、ゲインアップ時のゲインＡ＝１／２であり、ゲインＢ＝１／２である。図１３に示すように、入力信号（１／α）２２１がステップ状に約１から約０．５に下がると、入力信号（１／α）が閾値０．９８以下であるので、ゲイン切替判定部１９５は、通常時のゲインＡ＝３／６４を乗算器１８３に設定し、ゲインＢ＝６１／６４を乗算器１８７のゲインＢに設定する。この場合、カットオフ周波数が中程度であり時定数が中程度であるので、出力信号２２３は、約１からなだらかに約０．５５まで下降する。その後、入力信号（１／α）２２１がステップ状に約０．５から約１に上がると、入力信号（１／α）が閾値０．９８より大きいので、ゲイン切替判定部１９５は、ゲインアップ時のゲインＡ＝１／２を乗算器１８３に設定し、ゲインＢ＝１／２を乗算器１８７に設定する。この場合、カットオフ周波数が非常に高く時定数が非常に短いので、出力信号２２３は、急速に約０．５５から約１まで上昇する。
【００９７】
図１４は、フィルタの入力信号と出力信号の波形の例を示す図である。ここで、通常時のゲインＡ＝１／８であり、ゲインＢ＝７／８であり、図１１のゲイン特性２１１（番号１１）に対応する。また、ゲインアップ時のゲインＡ＝１／２であり、ゲインＢ＝１／２である。図１４に示すように、入力信号（１／α）２２１がステップ状に約１から約０．５に下がると、入力信号（１／α）が閾値０．９８以下であるので、ゲイン切替判定部１９５は、通常時のゲインＡ＝１／８を乗算器１８３に設定し、ゲインＢ＝７／８を乗算器１８７のゲインＢに設定する。この場合、カットオフ周波数が高く時定数が短いので、出力信号２２４は、約１から素早く約０．５に下降する。その後、入力信号（１／α）２２１がステップ状に約０．５から約１に上がると、入力信号（１／α）が閾値０．９８より大きいので、ゲイン切替判定部１９５は、ゲインアップ時のゲインＡ＝１／２を乗算器１８３に設定し、ゲインＢ＝１／２を乗算器１８７に設定する。この場合、カットオフ周波数が非常に高く時定数が非常に短いので、出力信号２２４は、急速に約０．５から約１まで上昇する。
【００９８】
このように、入力信号（１／α）が閾値以下の場合に時定数を長くして出力信号の変化をゆるやかにし、入力信号（１／α）が閾値より大きい場合に時定数を短くして出力信号の変化を急速にしているのは次の理由による。
【００９９】
すなわち、入力信号（１／α）が低くなるというのは面状光源装置５０の輝度が低くなることであり、面状光源装置５０の輝度が急速に低くなると画像観察者が画像の変化を認識してしまう場合がある。そこで、入力信号（１／α）が閾値以下の場合に時定数を長くして出力信号の変化をゆるやかにし、面状光源装置５０の輝度をゆるやかに低くすることで、画像観察者が変化を認識することを抑制することができる。
【０１００】
また、入力信号（１／α）が高くなるというのは面状光源装置５０の輝度が高くなることであり、面状光源装置５０の輝度がゆっくりと高くなると画像観察者が一部の特に彩度の高い色の変化を認識してしまう場合がある。そこで、入力信号（１／α）が閾値より大きい場合に時定数を短くして出力信号の変化を急速にし、面状光源装置５０の輝度を急速に高くすることで、画像観察者が一部の色の変化を認識することを抑制することができる。
【０１０１】
（表示装置の制御動作）
次に、図１５及び図１６を用いて、表示装置の制御動作の一例を説明する。図１５及び図１６は、表示装置の制御動作の一例を示すフローチャートである。表示装置１０は、主に信号処理部２０によって演算処理を実行することで図１５に示す処理を実現する。また、表示装置１０は、主にゲイン切替判定部１９５によって演算処理を実行することで図１６に示す処理を実現する。
【０１０２】
信号処理部２０は、再現ＨＳＶ色空間を複数に分割し（ステップＳ１２）、分割した空間のそれぞれに対して限界値を設定する（ステップＳ１４）。信号処理部２０は、記憶されたデータを読み出すことで、再現ＨＳＶ色空間の分割と限界値の設定を行う。
【０１０３】
信号処理部２０は、限界値を設定したら、入力信号を取得し（ステップＳ１６）、取得した入力信号と再現ＨＳＶ色空間（明度の最大値）と限界値とに基づいて伸長係数を決定する（ステップＳ１８）。具体的には上述した工程で処理を行い、伸長した出力信号が再現ＨＳＶ色空間（明度の最大値）を超える範囲が、限界値を超えない伸長係数を求める。
【０１０４】
その後、信号処理部２０は、入力信号と伸長係数に基づいて各副画素の出力信号を決定し、出力し（ステップＳ２０）、さらに光源の出力を調整する（ステップＳ２２）。つまり、信号処理部２０は、伸長した出力信号を画像表示パネル駆動回路４０に出力し、伸長した結果に対応して算出した光源（面状光源装置５０）の出力の条件（１／α）を制御信号（入力信号）として、フィルタ８０に出力する。
【０１０５】
フィルタ８０のゲイン切替判定部１９５は、信号処理部２０から入力信号（制御信号）（１／α）が入力されると、図１６に示す処理を実行する。ゲイン切替判定部１９５は、入力信号（制御信号）（１／α）を閾値記憶部１９４に記憶されている閾値と比較し、入力信号（１／α）が閾値以上ではないと判定したら（ステップＳ５２でＮｏ）、通常時ゲインを乗算器１８３及び１８７に設定する（ステップＳ５４）。つまり、ゲイン切替判定部１９５は、通常時ゲイン番号記憶部１９２に記憶されている番号ｉに関連付けられたゲインＡｉ及びゲインＢｉをゲイン記憶部１９１から読み出し、読み出したゲインＡｉを乗算器１８３のゲインＡとして設定し、読み出したゲインＢｉを乗算器１８７のゲインＢとして設定する。
【０１０６】
これにより、乗算器１８３及び１８７は、所望の通常時ゲインが設定され、フィルタ８０は、入力信号（１／α）に所望の通常時時定数でフィルタリングを施した出力信号（面状光源装置制御信号）を生成して、面状光源装置制御回路６０に出力する。
【０１０７】
一方、ゲイン切替判定部１９５は、入力信号（１／α）が閾値以上であると判定したら（ステップＳ５２でＹｅｓ）、ゲインアップ時ゲインを乗算器１８３及び１８７に設定する（ステップＳ５６）。つまり、ゲイン切替判定部１９５は、ゲインアップ時番号記憶部１９３に記憶されている番号ｊに関連付けられたゲインＡｊ及びゲインＢｊをゲイン記憶部１９１から読み出し、読み出したゲインＡｊを乗算器１８３のゲインＡとして設定し、読み出したゲインＢｊを乗算器１８７のゲインＢとして設定する。
【０１０８】
これにより、乗算器１８３及び１８７は、所望のゲインアップ時ゲインが設定され、フィルタ８０は、入力信号（１／α）に所望のゲインアップ時時定数でフィルタリングを施した出力信号（面状光源装置制御信号）を生成して、面状光源装置制御回路６０に出力する。
【０１０９】
再び図１５を参照すると、信号処理部２０は、光源の出力を調整したら、画像の表示を終了するかを判定する（ステップＳ２４）。信号処理部２０は、画像の表示を終了しない（ステップＳ２４でＮｏ）と判定した場合、ステップＳ１６に進む。これにより、信号処理部２０は、画像の表示を終了するまで、入力信号（画像）に応じて、伸長係数を決定し、その伸長係数に基づいて出力信号を生成し、信号の伸長に対応して面状光源装置の光量を調整する処理を繰り返す。信号処理部２０は、画像の表示を終了する（ステップＳ２４でＹｅｓ）と判定した場合、本処理を終了する。
【０１１０】
表示装置１０は、以上の処理を行うことで、上述した効果を得ることができる。なお、表示装置１０は、第４副画素を備える場合でも、当該第４副画素を使用せずに画像を表示させるモードを備えていてもよい。
【０１１１】
（ゲイン制御部の変形例）
図１７は、図９のゲイン制御部の変形例の構成の概要を示す図である。図１７に示すように、ゲイン制御部１８２ａは、閾値記憶部１９４と、ゲイン切替判定部１９５ａと、通常時ゲイン記憶部１９６と、ゲインアップ時ゲイン記憶部１９７と、を有する。
【０１１２】
閾値記憶部１９４は、乗算器１８３のゲインＡ及び乗算器１８７のゲインＢを設定する際に、判定の基準となる閾値Ｔｈを記憶する。なお、閾値記憶部１９４は、ＲＡＭなどの揮発性メモリであっても良い。また、閾値記憶部１９４は、フラッシュメモリなどの書き換え可能な不揮発性メモリであっても良い。これにより、一度書き込まれた閾値を次回電源投入時にも使用することができ、再書き込みを不要とすることができる。
【０１１３】
なお、先に説明したように、通常、伸長係数αの値は、１．０を越え且つ１．０近傍に多く集まる。従って、閾値は、０．９８や０．９９程度とすると好適であると考えられる。
【０１１４】
通常時ゲイン記憶部（本発明の第１のゲイン記憶部に対応）１９６は、入力信号（１／α）が閾値Ｔｈより小さい場合つまり通常時に、乗算器１８３にゲインＡとして設定される第１のゲインＡＮ及び乗算器１８７にゲインＢとして設定される第２のゲインＢＮを記憶する。なお、通常時ゲイン記憶部１９６は、ＲＡＭなどの揮発性メモリであっても良い。また、通常時ゲイン記憶部１９６は、フラッシュメモリなどの書き換え可能な不揮発性メモリであっても良い。これにより、一度書き込まれたゲインＡＮ及びゲインＢＮを次回電源投入時にも使用することができ、再書き込みを不要とすることができる。なお、ゲインＡＮが本発明の第１のゲインに相当し、ゲインＢＮが本発明の第２のゲインに相当する。
【０１１５】
ゲインアップ時ゲイン記憶部（本発明の第２のゲイン記憶部に対応）１９７は、入力信号（１／α）が閾値Ｔｈ以上の場合つまりゲインアップ時に、乗算器１８３にゲインＡとして設定される第３のゲインＡＵ及び乗算器１８７にゲインＢとして設定される第４のゲインＢＵを記憶する。なお、ゲインアップ時ゲイン記憶部１９７は、ＲＡＭなどの揮発性メモリであっても良い。また、ゲインアップ時ゲイン記憶部１９７は、フラッシュメモリなどの書き換え可能な不揮発性メモリであっても良い。これにより、一度書き込まれたゲインＡＵ及びゲインＢＵを次回電源投入時にも使用することができ、再書き込みを不要とすることができる。なお、ゲインＡＵが本発明の第３のゲインに相当し、ゲインＢＵが本発明の第４のゲインに相当する。
【０１１６】
ゲイン切替判定部１９５ａは、入力信号（１／α）と閾値記憶部１９４に記憶されている閾値Ｔｈとを比較し、入力信号（１／α）が閾値Ｔｈより小さい場合つまり通常時の場合に、通常時ゲイン記憶部１９６に記憶されているゲインＡＮ及びゲインＢＮを読み出し、読み出したゲインＡＮつまり第１のゲインを乗算器１８３のゲインＡとして設定し、読み出したゲインＢＮつまり第２のゲインを乗算器１８７のゲインＢとして設定する。
【０１１７】
また、ゲイン切替判定部１９５ａは、入力信号（１／α）と閾値記憶部１９４に記憶されている閾値Ｔｈとを比較し、入力信号（１／α）が閾値Ｔｈ以上の場合つまりゲインアップ時の場合に、ゲインアップ時ゲイン記憶部１９７に記憶されているゲインＡＵ及びゲインＢＵを読み出し、読み出したゲインＡＵつまり第３のゲインを乗算器１８３のゲインＡとして設定し、読み出したゲインＢＵつまり第４のゲインを乗算器１８７のゲインＢとして設定する。
【０１１８】
なお、ゲイン切替判定部１９５ａは、ゲインＡＮ又はゲインＡＵと乗算器１８３に現に設定されているゲインＡとが等しい場合には、ゲインＡＮ又はゲインＡＵを乗算器１８３に設定しなくても良い。同様に、ゲイン切替判定部１９５ａは、ゲインＢＮ又はゲインＢＵと乗算器１８７に現に設定されているゲインＢとが等しい場合には、ゲインＢＮ又はゲインＢＵを乗算器１８７に設定しなくても良い。
【０１１９】
ゲイン制御部１８２ａによれば、ゲイン制御部１８２と比較してゲイン記憶部１９１を不要とすることができるので、記憶領域を抑制し、回路規模を抑制し、実装面積を抑制し、コストを低減することができる。
【０１２０】
（表示装置の変形例）
表示装置では、画像表示領域が広い場合などに、複数の面状光源装置が用いられることがある。このような場合でも、本発明は適用できる。
【０１２１】
図１８は、本発明の一実施形態に係る表示装置の変形例の構成を示すブロック図である。図１８に示すように、表示装置１０ａは、表示装置１０ａの各部に信号を送り、動作を制御する信号処理部２０と、信号処理部２０から出力された出力信号に基づいて画像を表示させる画像表示パネル３０と、画像表示パネル３０の駆動を制御する画像表示パネル駆動回路４０と、画像表示パネル３０を背面から照明する面状光源装置５０と、面状光源装置５０の駆動を制御する面状光源装置制御回路６０と、信号処理部２０から出力される制御信号に信号処理を施して面状光源装置制御回路６０に出力するフィルタ（信号処理回路）８０と、を備える。
【０１２２】
面状光源装置５０は、画像表示パネル３０の背面に配置され、画像表示パネル３０に向けて光を照射することで、画像表示パネル３０を照明する。面状光源装置５０は、複数（ここでは２つ）の面状光源装置５０ａ及び５０ｂを有する。面状光源装置５０ａは、画像表示パネル３０の走査方向上流側（図中上側）半分を照明する。面状光源装置５０ｂは、画像表示パネル３０の走査方向下流側（図中下側）半分を照明する。
【０１２３】
面状光源装置制御回路６０は、面状光源装置５０から出力する光の光量等を制御する。具体的には、面状光源装置制御回路６０は、フィルタ８０から出力される面状光源装置制御信号に基づいて面状光源装置５０に供給する電圧等を調整することで、画像表示パネル３０を照射する光の光量（光の強度）を制御する。面状光源装置制御回路６０は、複数（ここでは２つ）の面状光源装置制御回路６０ａ及び６０ｂを有する。面状光源装置制御回路６０ａは、面状光源装置５０ａから出力する光の光量等を制御し、面状光源装置制御回路６０ｂは、面状光源装置５０ｂから出力する光の光量等を制御する。
【０１２４】
フィルタ（信号処理回路）８０は、信号処理部２０から入力される制御信号（１／α）に前述した信号処理を施して面状光源装置制御信号を生成し、面状光源装置制御回路６０に出力する。フィルタ８０は、複数（ここでは２つ）のフィルタ８０ａ及び８０ｂを有する。フィルタ８０ａは、信号処理部２０から入力される制御信号（１／α）に前述した信号処理を施して面状光源装置制御信号を生成し、面状光源装置制御回路６０ａに出力する。フィルタ８０ｂは、信号処理部２０から入力される制御信号（１／α）に前述した信号処理を施して面状光源装置制御信号を生成し、面状光源装置制御回路６０ｂに出力する。なお、フィルタ８０ａ及び８０ｂの回路構成は、先に説明した図９と同様である。
【０１２５】
このように、複数の面状光源装置５０ａ及び５０ｂを用いた表示装置１０ａでは、面状光源装置５０ａ及び５０ｂの各々に対応して、複数のフィルタ８０ａ及び８０ｂを設ける。フィルタ８０ａ及び８０ｂの各々は、図９に示す通り非常に小さい回路規模で構成されているので、表示装置１０ａが複数のフィルタ８０ａ及び８０ｂを備える場合であっても、回路規模を抑制し、実装面積を抑制し、コストを抑制することができる。
【０１２６】
＜２．適用例＞
次に、上記実施形態に係る表示装置１０の一適用例について説明する。本実施形態に係る表示装置１０は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１０は、外部から入力された映像信号或いは内部で生成した映像信号を、画像或いは映像として表示するあらゆる分野の電子機器に適用することが可能である。電子機器は、表示装置に映像信号を供給し、表示装置の動作を制御する制御装置を備える。
【０１２７】
（適用例１）
図１９は、適用例１に係る電子機器の構成の一例を示す斜視図である。電子機器１００は、携帯電話機であり、例えば、図１９に示すように、本体部１１１と、本体部１１１に対して開閉可能に設けられた表示体部１１２とを備えている。本体部１１１は、操作ボタン１１５と、送話部１１６を有している。また、電子機器１００は、電子機器１００の全体の制御を司る制御装置１２０を内蔵している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、制御装置１２０の一部として、又はその制御装置１２０とは別に、本体部１１１又は表示体部１１２の内部に設けられている。電子機器１００の全体の制御を司る制御装置１２０は、表示装置１１３の制御部に映像信号を供給する。つまり、制御装置１２０は、電子機器１００で表示する映像を決定し、決定した映像の映像信号を表示装置１１３の制御部に送ることで、表示装置１１３に決定した映像を表示させる。
【０１２８】
表示装置１１３は、上記実施形態に係る表示装置１０と同一の構成を備えている。これにより、表示装置１１３において、画質の低下を抑制しつつ、低消費電力化を実現することができる。
【０１２９】
なお、上記実施形態に係る表示装置１０を適用可能な電子機器としては、以上に説明した携帯電話機等の他にも、表示装置付き時計、表示装置付き腕時計、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【０１３０】
ここで、電子機器は、画像を表示するアプリケーション（ソフトウェアや機能）に応じて、再現ＨＳＶ色空間を分割する規則とそれぞれの空間に設定する限界値の情報とを示すデータ（以下、条件という）を切り換えるようにしてもよい。図２０は、電子機器の制御動作の一例を示すフローチャートである。電子機器１００は、主に表示装置１１３の信号処理部２０と制御装置１２０とによって演算処理を実行することで図２０に示す処理を実現する。
【０１３１】
制御装置１２０は、実行されているアプリケーションを特定し（ステップＳ３０）、アプリケーションに対応した条件を抽出する（ステップＳ３１）。
【０１３２】
次に、表示装置１１３は、再現ＨＳＶ色空間を複数に分割し（ステップＳ３２）、分割した空間のそれぞれに対して限界値を設定する（ステップＳ３４）。表示装置１１３は、記憶されたデータを読み出すことで、色空間の分割と限界値の設定を行う。
【０１３３】
表示装置１１３は、限界値を設定したら、入力信号を取得し（ステップＳ３６）、取得した入力信号と再現ＨＳＶ色空間（明度の最大値）と限界値とに基づいて伸長係数を決定する（ステップＳ３８）。具体的には上述した工程で処理を行い、伸長した出力信号が再現ＨＳＶ色空間（明度の最大値）を超える範囲が、限界値を超えない伸長係数を求める。
【０１３４】
その後、表示装置１１３は、入力信号と伸長係数とに基づいて各副画素の出力信号を決定し、出力し（ステップＳ４０）、さらに光源の出力を調整する（ステップＳ４２）。表示装置１１３は、光源の出力を調整したら、画像の表示を終了するかを判定する（ステップＳ４４）。電子機器１００は、画像の表示を終了しない（ステップＳ４４でＮｏ）と判定した場合、表示装置１１３及び制御装置１２０によってアプリケーションの切り換えがあるかを判定する（ステップＳ４６）。制御装置１２０は、アプリケーションの切り換えあり（ステップＳ４６でＹｅｓ）と判定した場合、ステップＳ３１に進み、条件を切り換える。制御装置１２０は、アプリケーションの切り換えなし（ステップＳ４６でＮｏ）と判定した場合、ステップＳ３６に進む。これにより、電子機器１００は、画像の表示を終了するまで、入力信号（画像）に応じて、伸長係数を決定し、その伸長係数に基づいて出力信号を生成し、信号の伸長に対応して面状光源装置の光量を調整する処理を繰り返す。また、電子機器１００は、アプリケーションが切り換えられた場合、そのアプリケーションの条件に基づいて入力信号を伸長させることができる。電子機器１００は、画像の表示を終了する（ステップＳ４４でＹｅｓ）と判定した場合、本処理を終了する。
【０１３５】
電子機器１００は、以上の処理を行うことで、上述した効果を得ることができる。また、電子機器１００は、アプリケーションの切り換えに対応して条件を切り換えることで、例えば、画質の劣化が許容される場合、伸長係数を大きくし、高い画質が要求される場合、伸長係数を小さくすることができる。これにより、利用用途に対応し、さらに画質を維持しかつ消費電力を低減することができる。
【０１３６】
（適用例２）
図２１は、本実施形態に係る表示装置が適用されるテレビジョン装置を示す図である。このテレビジョン装置は、例えば、フロントパネル５１１及びフィルターガラス５１２を含む映像表示画面部５１０を有しており、この映像表示画面部５１０は、本実施形態に係る表示装置である。
【０１３７】
（適用例３）
図２２及び図２３は、本実施形態に係る表示装置が適用されるデジタルカメラを示す図である。このデジタルカメラは、例えば、フラッシュ用の発光部５２１、表示部５２２、メニュースイッチ５２３及びシャッターボタン５２４を有しており、その表示部５２２は、本実施形態に係る表示装置である。図２２に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【０１３８】
（適用例４）
図２４は、本実施形態に係る表示装置が適用されるビデオカメラの外観を示す図である。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置である。
【０１３９】
（適用例５）
図２５は、本実施形態に係る表示装置が適用されるノート型パーソナルコンピュータを示す図である。このノート型パーソナルコンピュータは、例えば、本体５４１、文字等の入力操作のためのキーボード５４２及び画像を表示する表示部５４３を有しており、表示部５４３は、本実施形態に係る表示装置により構成されている。
【０１４０】
（適用例６）
図２６は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末を示す図である。この情報携帯端末は、例えば筐体５６１の表面に表示部５６２を有している。この表示部５６２は、本実施形態に係る表示装置である。
【０１４１】
＜３．本開示の構成＞
また、本開示は、以下の構成をとることもできる。
【０１４２】
（１）
第１の色を表示する第１副画素、第２の色を表示する第２副画素、第３の色を表示する第３副画素及び第４の色を表示する第４副画素を含む画素が２次元マトリクス状に配列された画像表示パネルと、
入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力するとともに、前記画像表示パネルの輝度を制御する制御信号を出力する信号処理部と、
前記制御信号に信号処理を施して、前記画像表示パネルを照明する光源装置を制御する光源装置制御信号を出力する信号処理回路と、
を備え、
前記信号処理部は、
前記入力信号に対する伸長係数αを算出し、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力し、
少なくとも前記伸長係数αに基づいて前記制御信号を算出して前記信号処理回路に出力し、
前記信号処理回路は、
前記制御信号が、設定された閾値より小さい場合には、設定された第１の時定数での濾波処理を前記制御信号に施すことで前記光源装置制御信号を算出して出力し、前記制御信号が、前記閾値以上の場合には、設定された第２の時定数での濾波処理を前記制御信号に施すことで前記光源装置制御信号を算出して出力する、
表示装置。
【０１４３】
（２）
前記信号処理回路は、
第１及び第２の乗算器と、加算器と、遅延回路と、ゲイン制御部と、
を含み、
前記第１の乗算器は、前記制御信号にゲインＡを乗算し、
前記第２の乗算器は、前記遅延回路の出力信号にゲインＢを乗算し、
前記加算器は、前記第１の乗算器の出力信号と前記第２の乗算器の出力信号とを加算し、
前記遅延回路は、前記加算器の出力信号を１フレーム時間遅延させ、
前記ゲイン制御部は、前記制御信号が、前記閾値より小さい場合には、設定された第１のゲインを前記ゲインＡとして前記第１の乗算器に設定するとともに、設定された第２のゲインを前記ゲインＢとして前記第２の乗算器に設定し、前記制御信号が、前記閾値以上の場合には、設定された第３のゲインを前記ゲインＡとして前記第１の乗算器に設定するとともに、設定された第４のゲインを前記ゲインＢとして前記第２の乗算器に設定する、
（１）に記載の表示装置。
【０１４４】
（３）
前記ゲイン制御部は、
各組が２つのゲインを含む複数の組のゲインを記憶するゲイン記憶部と、
前記制御信号が前記閾値より小さい場合に、前記複数の組のゲインの中の１組のゲインを選択する第１の情報が設定される第１の情報記憶部と、
前記制御信号が前記閾値以上の場合に、前記複数の組のゲインの中の１組のゲインを選択する第２の情報が設定される第２の情報記憶部と、
前記制御信号が前記閾値より小さい場合には、前記第１の情報記憶部に設定された第１の情報に基づいて、前記複数の組のゲインの中の１組のゲインを前記第１及び第２のゲインとして選択し、前記第１及び第２のゲインを前記ゲインＡ及び前記ゲインＢとして前記第１及び第２の乗算器に設定し、前記制御信号が前記閾値以上の場合には、前記第２の情報記憶部に設定された第２の情報に基づいて、前記複数の組のゲインの中の１組のゲインを前記第３及び第４のゲインとして選択し、前記第３及び第４のゲインを前記ゲインＡ及び前記ゲインＢとして前記第１及び第２の乗算器に設定するゲイン切替判定部と、
を備える、（２）に記載の表示装置。
【０１４５】
（４）
前記ゲイン制御部は、
前記第１及び第２のゲインが設定される第１のゲイン記憶部と、
前記第３及び第４のゲインが設定される第２のゲイン記憶部と、
前記制御信号が前記閾値より小さい場合には、前記第１のゲイン記憶部に設定された前記第１及び第２のゲインを前記ゲインＡ及び前記ゲインＢとして前記第１及び第２の乗算器に設定し、前記制御信号が前記閾値以上の場合には、前記第２のゲイン記憶部に設定された前記第３及び第４のゲインを前記ゲインＡ及び前記ゲインＢとして前記第１及び第２の乗算器に設定するゲイン切替判定部と、
を備える、（２）に記載の表示装置。
【０１４６】
（５）
前記画像表示パネルは、複数の光源装置で照明され、
前記制御信号に基づいて、前記複数の光源装置に前記光源装置制御信号をそれぞれ出力する複数の前記信号処理回路を備える、
（１）から（４）のいずれか１つに記載の表示装置。
【０１４７】
（６）
前記信号処理部は、
前記再現ＨＳＶ色空間に対して、色相及び彩度の値の組み合わせにおいて前記再現ＨＳＶ色空間の明度の最大値に対して当該最大値を超える幅の割合の上限である限界値を設定し、
前記入力信号の各副画素の信号に対して乗算した値のうち明度の最大値を超える値が、前記明度の最大値に前記限界値を乗算した値を超えない範囲で、前記入力信号に対する伸長係数αを算出する、
（１）から（５）のいずれか１つに記載の表示装置。
【０１４８】
（７）
前記信号処理部は、
前記再現ＨＳＶ色空間を彩度、明度及び色相の少なくとも１つで複数に分割し、分割した複数の空間のうち少なくとも２つの空間に対して、色相及び彩度の値の組み合わせにおいて前記再現ＨＳＶ色空間の明度の最大値に対して当該最大値を超える幅の割合の上限である限界値として異なる値を設定する、
（６）に記載の表示装置。
【０１４９】
（８）
前記信号処理部は、前記彩度を基準として前記再現ＨＳＶ色空間を２つ以上の空間に分割することを特徴とする（７）に記載の表示装置。
【０１５０】
（９）
前記信号処理部は、前記色相を基準として前記再現ＨＳＶ色空間を２つ以上の空間に分割することを特徴とする（７）又は（８）に記載の表示装置。
【０１５１】
（１０）
前記信号処理部は、前記明度を基準として前記再現ＨＳＶ色空間を２つ以上の空間に分割することを特徴とする（７）から（９）のいずれか１つに記載の表示装置。
【０１５２】
（１１）
前記第４の色は、白色であることを特徴とする（１）から（１０）のいずれか１つに記載の表示装置。
【０１５３】
（１２）
（１）から（１１）のいずれか１つに記載の表示装置と、
前記表示装置に前記入力信号を供給する制御装置と、を有する電子機器。
【０１５４】
（１３）
第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力するとともに、前記画像表示パネルの輝度を制御する制御信号を出力する信号処理部と、前記制御信号に信号処理を施して、前記画像表示パネルを照明する光源装置を制御する光源装置制御信号を出力する信号処理回路と、を備える表示装置の駆動方法であって、
前記入力信号に対する伸長係数αを算出するステップと、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力するステップと、  前記制御信号が、設定された閾値より小さい場合には、設定された第１の時定数での濾波処理を前記制御信号に施して前記光源装置制御信号を算出して出力し、前記制御信号が、前記閾値以上の場合には、設定された第２の時定数での濾波処理を前記制御信号に施して前記光源装置制御信号を算出して出力するステップと、
を含むことを特徴とする表示装置の駆動方法。
【０１５５】
（１４）
第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力するとともに、前記画像表示パネルの輝度を制御する制御信号を出力する信号処理部と、前記制御信号に信号処理を施して、前記画像表示パネルを照明する光源装置を制御する光源装置制御信号を出力する信号処理回路と、を備え、前記信号処理部が、前記入力信号に対する伸長係数αを算出し、少なくとも前記伸長係数αに基づいて前記制御信号を算出する表示装置で、前記信号処理回路が実行する信号処理方法であって、
前記制御信号が、設定された閾値より小さい場合には、設定された第１の時定数での濾波処理を前記制御信号に施して前記光源装置制御信号を算出して出力し、前記制御信号が、前記閾値以上の場合には、設定された第２の時定数での濾波処理を前記制御信号に施して前記光源装置制御信号を算出して出力する、
信号処理方法。
【符号の説明】
【０１５６】
１０  表示装置
１０ａ  表示装置
２０  信号処理部
３０  画像表示パネル
４０  画像表示パネル駆動回路
４１  信号出力回路
４２  走査回路
４８  画素
５０  面状光源装置
６０  面状光源装置制御回路
８０  フィルタ（信号処理回路）
８０ａ  フィルタ（信号処理回路）
８０ｂ  フィルタ（信号処理回路）
４９Ｒ  第１副画素
４９Ｇ  第２副画素
４９Ｂ  第３副画素
４９Ｗ  第４副画素
１８２  ゲイン制御部
１８３  乗算器
１８４  加算器
１８６  フリップフロップ
１８７  乗算器
１９１  ゲイン記憶部
１９２  通常時ゲイン番号記憶部
１９３  ゲインアップ時番号記憶部
１９４  閾値記憶部
１９５  ゲイン切替判定部
１９５ａ  ゲイン切替判定部
１９６  通常時ゲイン記憶部
１９７  ゲインアップ時ゲイン記憶部
【図１】
2014178369.tif 000003
【図２】
2014178369.tif 000004
【図３】
2014178369.tif 000005
【図４】
2014178369.tif 000006
【図５】
2014178369.tif 000007
【図６】
2014178369.tif 000008
【図７】
2014178369.tif 000009
【図８】
2014178369.tif 000010
【図９】
2014178369.tif 000011
【図１０】
2014178369.tif 000012
【図１１】
2014178369.tif 000013
【図１２】
2014178369.tif 000014
【図１３】
2014178369.tif 000015
【図１４】
2014178369.tif 000016
【図１５】
2014178369.tif 000017
【図１６】
2014178369.tif 000018
【図１７】
2014178369.tif 000019
【図１８】
2014178369.tif 000020
【図１９】
2014178369.tif 000021
【図２０】
2014178369.tif 000022
【図２１】
2014178369.tif 000023
【図２２】
2014178369.tif 000024
【図２３】
2014178369.tif 000025
【図２４】
2014178369.tif 000026
【図２５】
2014178369.tif 000027
【図２６】
2014178369.tif 000028